(57)【特許請求の範囲】
【請求項１】
結合部材の一端側を支持する第一支持部材と、結合部材の他端側を支持する第二支持部材と、を有し、結合部材と結合の着脱が可能である被結合部材が結合部材から脱する際に、被結合部材が結合部材から脱する方向への結合部材の移動を規制すると共に、結合部材を着脱可能に支持するために結合部材の一端側を支持する第一支持部材と他端側を支持する第二結合部材と、前記方向と直行する方向へ結合部材が移動することを規制するための規制部と、を有する機器を覆うためのカバーにおいて、
結合部材をカバーから脱するために結合部材が取り付けられている面と反対側の面から前記方向に力を加えるために工具を挿入するための孔を有し、この孔は第一支持部材と第二支持部材との間の範囲から外れた位置に設けられていることを特徴とするカバー。
【請求項２】
結合部材の前記規制部側と反対側の端部を支持する支持部材は、前記方向と直行する方向への移動を規制することを特徴とする請求項１のいずれかに記載のカバー。
【請求項３】
請求項１から請求項２のいずれかに記載されたカバーは、記録材に画像を形成する画像形成装置を覆うカバーであることを特徴とする。
【発明の詳細な説明】
【０００１】
【発明の目的】
【産業上の利用分野】
この発明は、プラスチック製の被取付部材に他の部材を取り付けるための取付機構に関するものである。
【０００２】
【従来技術と解決すべき課題】
現在プラスチック製の物品が社会に氾濫しているが、プラスチックは木材、金属などの天然材料と異なり、所謂“土に帰る”状態になり難いものが多く、反面、比較的強度的に弱いので力がかかるような部分には、金属のような強度の大きい部材がひろく補助的に用いられていることは周知のとおりである。
【０００３】
このため、省資源の観点、即ち、廃棄されたプラスチックを回収して、粉砕、溶融の過程を経て原材料にもどして再加工すると云う観点からみると、それまでプラスチック製品に組み込まれていた金属などの補助部材が不純物となって再生処理が困難になってくることを免れなかった。
【０００４】
このような実態を、「図７」以下に示す画像形成装置によって略述する。同図は画像形成装置の概略側面図で、装置本体１前面、操作者が立つ位置側には支点３を中心に回動開閉でき、操作者がトナー補給、ジヤムの解消等のために開閉操作するためのカバー２が配設してある。
【０００５】
前記カバー２内側位置には、端部をビス７によって、装置本体側内カバー５とカバー２側に取り付けた開閉バンド４が配設してあって、カバーの解放量を規制して脱落、破損等を防止している。また、前記カバー２を閉塞したときには、前記内カバー５に取着したマグネットキャッチ板６に、カバー２に取着したマグネットキャッチ８が吸着してカバー２が閉塞位置に固定される。
【０００６】
「図８」は前記内カバー５にビス７でバンド４を取着するところを、「図９」はカバー２を閉塞状態に維持するためのマグネットキャッチ板６を固定するところを夫々示す拡大側断面図である。
【０００７】
「図８」について説明すると、「図７」に示すようにカバー２が解放されている場合には、該カバー４には図示Ｆ1 で示すような力がかかる。これに対向するべく、内カバー５には通常Ｍ３〜Ｍ４のビット９が固定配置してあり、これにビス７を螺合してバンド４を固定してある。なお、ビット９が内カバー５から脱落しないように、その周囲にはローレットが刻設してあるのが普通である。
【０００８】
「図９」に示すように、マグネットキャッチ板６は内カバー５に熱カシメ１０して固定してあり、これによってカバー２開放時に図示Ｆ2 方向に作用する力に対抗し得るようになっている。
【０００９】
このように被取付部材には、作動時にかかる力に充分対抗できるために、他材料を強固な手段で固定することが多いので、前述のように、装置の回収、材料の再利用を図ろうとする場合、量的には少ない金属などが除去困難な異物となって再生処理が困難になることを免れない。
【００１０】
本発明はこのような事態に対処すべくなされたものであって、プラスチックを主材とする部品を結合して形成する機器において、結合、他物の取付などにビットインサートや熱カシメなどのような他物を用いることなく、結合、固定を可能とする取付機構を提供することを目的とするものである。
【００１１】
【課題を解決するための手段】
そこで、本発明では、結合部材の一端側を支持する第一支持部材と、結合部材の他端側を支持する第二支持部材と、を有し、結合部材と結合の着脱が可能である被結合部材が結合部材から脱する際に、被結合部材が結合部材から脱する方向への結合部材の移動を規制すると共に、結合部材を着脱可能に支持するために結合部材の一端側を支持する第一支持部材と他端側を支持する第二結合部材と、前記方向と直行する方向へ結合部材が移動することを規制するための規制部と、を有する機器を覆うためのカバーにおいて、結合部材をカバーから脱するために結合部材が取り付けられている面と反対側の面から前記方向に力を加えるために工具を挿入するための孔を有し、この孔は第一支持部材と第二支持部材との間の範囲から外れた位置に設けられていることにより、上記問題点を解決する。
【００１２】
このように構成することによって、機器の所定部位の構成全体を単一の材料で形成できるので、使用後の材料の再生処理に有効である。
【００１３】
【実施例の説明】
以下、理解を容易にするため、本発明を前述のような画像形成装置に適用した実施例について説明する。「図１」は画像形成装置の本体側と、これに開閉自在に取着されたカバーとを連結して該カバーの解放度を規制するためのバンドの、装置本体側の取付部位を示す斜視図、「図２」はその側断面図である。
【００１４】
「図１」、「図２」に示すように、本体側のバンド取付面５ａに、立ち上がり部１２、１２とこれに連なる、前記取付面５ａに平行な部材１１によってバンド挿通口１３が形成してある。バンド取付面５ａの、前記挿通口１３の上部開口１４の外側適所にはバンドを係止するための突起１５が形成してある。さらに、該突起１５の上方にはドライバ等を差し込んでバンドを取りはずすための孔１７が設けてある。
【００１５】
バンド４にはその端部近傍に、前記突起１５に圧入される孔１６が形成してある。このようなバンドを取り付ける手段を「図３」によって説明する。
【００１６】
「図３」（ａ）に示すように、前記挿通口１３の下部開口２２からバンド４の端部を挿入して「図３」（ｂ）に示すように前記上部開口１４外に引き出し、前記孔１６に前記突起１５を圧入して、「図３」（ｃ）のようにこの位置に固定する。
【００１６】
分解のためバンド４を内カバー５から取りはずす際には、「図３」（ｃ）に示すように、ドライバ２３等を孔１７に差し込んでバンド４の孔１６から突起１５をはずせばよい。
【００１７】
なお、以上バンド４の一方の端部を被装着部材たる装置本体側へ取り付ける場合について説明したが、回動開閉カバー側にバンドの他方の端部を取着する部位にも、上記と同様の取付手段を設ければ良いことは直ちに理解できるところであろう。
【００１８】
「図４」、「図５」は他の実施例を示す斜視図及び側断面図である。図示のものは、回動開閉する扉を閉成状態に維持するためのマグネットとマグネットキャッチ板のうち、本体側に取着したマグネットキャッチ板を示すものである。
【００１９】
本体側の内カバー５の外面には、マグネットキャッチ板６の手前側、左右両側を支持するようにほぼコの字状の上部支持部材１９が突設形成してあり、その下方適所にマグネットキャッチ板６の下部を支持するべく、該板６の手前側、左右両側及び底部を支持する下部支持部材１８が突設してある。
【００２０】
さらに、前記上部支持部材１９の上方には突部２０が設けてある。この突部２０の位置は、前記両支持部材内にマグネットキャッチ板６を配置した場合に該板６の頂部が、押圧によって突部２０を排除してカバー５面に当接できる程度とするのが好適である。またさらに、前記突部２０の下側、前記上部支持部材１９の上方位置には、ドライバ等を挿通するに適した孔２１が設けてある。
【００２１】
次にこの装置の挿脱動作について「図６」によって説明する。「図６」（ａ）に示すように、マグネットキャッチ板６を支持部材１９の上方からこれに挿通し、支持部材１８の底部に着座させる。ついで、該板６の上部を押圧してこの部分突部２０の下側に嵌入させてその位置に固定する（「図６」（ｂ））。
【００２２】
マグネットキャッチ板６を取り出す際には、「図６」（ｃ）に示すように、孔２１の裏側からドライバ２３等をこの孔に挿通してマグネットキャッチ板６を突部２０からはずした後上方に引き出せばよい。
【００２３】
したがって、使用後材料の再生を図るにあたっては、マグネット板６をとりはずして単一材料状態として再生処理を行うことが可能となる。
【００２４】
【発明の効果】
以上説明したように、本発明によれば、プラスチック部材に他物を取り付ける場合、金属その他の別材料からなる補助部材を使用することなく、主材料たるプラスチックのみによって他物を取着できるようにしたから、プラスチック材のリサイクル性の向上に顕著な効果がある。
【図面の簡単な説明】
【図１】  本発明を回動開閉扉の開度規制部材に適用した実施例を示す要部斜視図
【図２】  同上側断面図
【図３】  同上装置の機器への着脱操作を示す説明図
【図４】  本発明を回動開閉扉を閉塞位置に維持する部材に適用した実施例を示す要部斜視図
【図５】  同上側断面図
【図６】  同上装置の機器への着脱操作を示す説明図
【図７】  回動開閉扉の公知の開度規制手段を示す概略側面図
【図８】  同上開度規制部材の取付手段を示す側断面図
【図９】  同上扉の閉成状態を維持する手段の側面図
【符号の説明】
１              装置本体
２              開閉扉
３              扉の回動中心
４              開度規制用のバンド
５              内カバー
６              マグネットキャッチ板
７              ビス
９              ビット
１１            平行部材
１３            挿通口
１４            開口分
１５、２０      突部
１６            孔
１８、１９      支持部材
【図１】
0003825819.tif 000002
【図２】
0003825819.tif 000003
【図３】
0003825819.tif 000004
【図４】
0003825819.tif 000005
【図５】
0003825819.tif 000006
【図７】
0003825819.tif 000007
【図６】
0003825819.tif 000008
【図８】
0003825819.tif 000009
【図９】
0003825819.tif 000010